(57)【要約】      （修正有）【課題】ペット用使い捨ておむつから排泄物が漏れ出ることを抑制する技術を提供する。【解決手段】ペット用使い捨ておむつ１は、おむつ本体部１００と、吸収性シート１８０と、を備える。おむつ本体部は、腹側胴周り域１１０と、背側胴周り域１２０と、股下域１３０と、おむつ長手方向Ｘと、尻尾挿通開口１４０と、吸収性コア１５０と、を備える。股下域は、腹側胴周り域と背側胴周り域との間に形成される。おむつ長手方向は、ペット用使い捨ておむつがペットに装着されていない状態において、腹側胴周り域と股下域と背側胴周り域とが連続する方向である。尻尾挿通開口は、おむつ長手方向の所定領域に設けられる。吸収性コアは、おむつ長手方向において尻尾挿通開口の一方側に形成され、腹側胴周り域と股下域との所定領域に配置される。吸収性シートは、尻尾挿通開口の縁部のうち上記一方側の縁部１４２又はその近傍に少なくとも設けられ、ペット用使い捨ておむつがペットに装着されている状態においてペットと反対側に突出するように設けられる。【選択図】図２
0003213659.tif 000002
【実用新案登録請求の範囲】
【請求項１】
ペット用使い捨ておむつであって、
腹側胴周り域と、
背側胴周り域と、
前記腹側胴周り域と前記背側胴周り域との間に形成された股下域と、
前記ペット用使い捨ておむつがペットに装着されていない状態において、前記腹側胴周り域と前記股下域と前記背側胴周り域とが連続する方向であるおむつ長手方向と、
前記おむつ長手方向の所定領域に設けられた尻尾挿通開口と、
前記おむつ長手方向において前記尻尾挿通開口の一方側に形成され、前記腹側胴周り域と前記股下域との所定領域に配置された吸収性コアと、
を備えるおむつ本体部と、
前記尻尾挿通開口の縁部のうち前記一方側の縁部又はその近傍に少なくとも設けられ、前記ペット用使い捨ておむつが前記ペットに装着されている状態において前記ペットと反対側に突出するように設けられた吸収性シートと、
を備えるペット用使い捨ておむつ。
【請求項２】
請求項１に記載のペット用使い捨ておむつであって、
前記おむつ本体部は、前記おむつ長手方向に交差する方向であるおむつ長手交差方向を備え、
前記吸収性シートは、前記尻尾挿通開口の縁部のうち前記おむつ長手交差方向の両縁部又はその近傍に設けられ、前記吸収性シートの突出方向に直交する断面においてＵ字状になるように形成されている、ペット用使い捨ておむつ。
【請求項３】
請求項１又は請求項２に記載のペット用使い捨ておむつであって、
前記吸収性シートは、前記おむつ本体部に着脱可能に設けられる、ペット用使い捨ておむつ。
【請求項４】
請求項１から請求項３までのいずれか１項に記載のペット用使い捨ておむつであって、
前記吸収性シートは、クッション性を有するシートである、ペット用使い捨ておむつ。
【考案の詳細な説明】
【技術分野】
【０００１】
本開示は、ペット用使い捨ておむつに関する。
【背景技術】
【０００２】
犬や猫に代表されるペットを、家屋内で飼育することは一般的である。このため、種々のペット用使い捨ておむつが販売されている（例えば特許文献１参照）。特許文献１に記載のペット用使い捨ておむつは、ペットの尿を吸収する吸収性コアと、ペットの尻尾が挿通される尻尾挿通開口と、を備える。
【先行技術文献】
【特許文献】
【０００３】
【特許文献１】特開２０１４−１１７１７３号公報
【考案の概要】
【考案が解決しようとする課題】
【０００４】
特許文献１に記載のペット用使い捨ておむつがペットに装着された場合、尻尾が尻尾挿通開口から出る。この状態で、ペットが排泄を行うと、ペットの尿は吸収性コアにより吸収され、固形の便はおむつ内部で保持される。
【０００５】
しかし、ペットの体調が悪い場合など、ペットが軟便を排泄する場合があるが、この場合、尻尾挿通開口から軟便が漏れ出ることがあるという問題があった。
本開示の一局面は、ペット用使い捨ておむつから排泄物が漏れ出ることを抑制する技術を提供することを目的としている。
【課題を解決するための手段】
【０００６】
本開示の一態様は、ペット用使い捨ておむつであって、おむつ本体部と、吸収性シートと、を備える。おむつ本体部は、腹側胴周り域と、背側胴周り域と、股下域と、おむつ長手方向と、尻尾挿通開口と、吸収性コアと、を備える。股下域は、腹側胴周り域と背側胴周り域との間に形成される。おむつ長手方向は、ペット用使い捨ておむつがペットに装着されていない状態において、腹側胴周り域と股下域と背側胴周り域とが連続する方向である。尻尾挿通開口は、おむつ長手方向の所定領域に設けられる。吸収性コアは、おむつ長手方向において尻尾挿通開口の一方側に形成され、腹側胴周り域と股下域との所定領域に配置される。吸収性シートは、尻尾挿通開口の縁部のうち上記一方側の縁部又はその近傍に少なくとも設けられ、ペット用使い捨ておむつがペットに装着されている状態においてペットと反対側に突出するように設けられる。
【０００７】
このような構成によれば、ペット用使い捨ておむつがペットに装着されている状態において、尻尾挿通開口から露出した尻尾の付け根付近の部分が、吸収性シートで下方から覆われる。よって、軟便が尻尾挿通開口から出た場合も、吸収性シートで吸収できる。したがって、ペット用使い捨ておむつから排泄物が漏れ出ることを抑制できる。
【０００８】
本開示の一態様は、おむつ本体部が、おむつ長手方向に交差する方向であるおむつ長手交差方向を備えてもよい。そして、吸収性シートは、尻尾挿通開口の縁部のうちおむつ長手交差方向の両縁部又はその近傍に設けられ、吸収性シートの突出方向に直交する断面においてＵ字状になるように形成されていてもよい。
【０００９】
ペットが横になった状態で排泄した場合などには、尻尾挿通開口のおむつ長手交差方向の縁部側から軟便が漏れ出ることがある。このような場合でも、上記構成であれば、ペット用使い捨ておむつから排泄物が漏れ出ることを抑制できる。また、吸収性シートが、尻尾挿通開口の全周に亘って形成されている場合と比較して、吸収性シートの量を減らすことができるため、ペット用使い捨ておむつの製造コストを抑制できる。
【００１０】
本開示の一態様は、吸収性シートが、おむつ本体部に着脱可能に設けられてもよい。
このような構成によれば、ペットが排泄した際におむつ本体部は汚れず吸収性シートだけが汚れた場合など、吸収性シートだけを交換し、おむつ本体部はそのまま使用することができる。
【００１１】
本開示の一態様は、吸収性シートが、クッション性を有するシートであってもよい。
このような構成によれば、吸収性シートがある程度の厚みを有する。よって、ペット用使い捨ておむつがペットに装着されている状態において、尻尾挿通開口から露出した尻尾の付け根付近の部分と吸収性シートとの密着性が向上し、尻尾挿通開口から漏れ出た排泄物を吸収性シートで吸収しやすくなる。したがって、吸収性シートがクッション性を有するシートでない場合と比較して、ペット用使い捨ておむつから排泄物が漏れ出ることを更に抑制できる。
【図面の簡単な説明】
【００１２】
【図１】ペット用使い捨ておむつの内側表面を示す、おむつを展開した状態における平面図である。
【図２】ペット用使い捨ておむつの外側表面を示す、おむつを展開した状態における平面図である。
【図３】ペット用使い捨ておむつがペットに装着された状態を示す説明図である。
【考案を実施するための形態】
【００１３】
以下、図面を参照しながら、本開示を実施するための形態を説明する。
［１．構成］
図１及び図２に示すペット用使い捨ておむつ１は、おむつ本体部１００と、吸収性シート１８０と、を備える。おむつ本体部１００は、腹側胴周り域１１０と、背側胴周り域１２０と、股下域１３０と、尻尾挿通開口１４０と、吸収性コア１５０と、止着部１６０と、止着領域１７０と、を備える。
【００１４】
なお、本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。
【００１５】
図３に示すように、ペット用使い捨ておむつ１がペットＡに装着された状態（以下、装着状態）において、腹側胴周り域１１０はペットＡの腹に、背側胴周り域１２０はペットＡの背に、股下域１３０はペットＡの股下にそれぞれ当接される。股下域１３０は、腹側胴周り域１１０と背側胴周り域１２０との間に形成される。
【００１６】
なお、おむつ本体部１００は、装着状態においてペットＡ側に位置する表面である内側表面１００Ａ（図１参照）と、内側表面１００Ａと反対側の表面である外側表面１００Ｂ（図２参照）と、を有する。また、おむつ本体部１００は、腹側胴周り域１１０と股下域１３０と背側胴周り域１２０とが連続する方向であるおむつ長手方向Ｘと、おむつ長手方向Ｘと交差する方向であるおむつ長手交差方向Ｙと、を有する。
【００１７】
尻尾挿通開口１４０は、装着状態において、ペットＡの尻尾が挿通される開口である。尻尾挿通開口１４０は、図１及び図２に示すように、おむつ長手方向Ｘの所定領域に形成される。本実施形態では、尻尾挿通開口１４０は、股下域１３０に形成された弧状の切込み１４１により形成される。すなわち、切込み１４１により開閉移動可能となった股下域１３０の一部が、折り返し部１４２で折り返されて尻尾挿通開口１４０が形成される。なお、図１及び図２では、開閉移動可能となった股下域１３０の一部及び折り返し部１４２は、吸収性シート１８０で覆われ、死角となっているが、折り返し部１４２については透過して図示している。
【００１８】
なお、尻尾挿通開口の形成の方法は本実施形態のものに限られず、尻尾挿通開口は、例えば、直線状の切込みによって形成したり、環状の切込みにより円形状、多角形状などの開口により形成してもよい。
【００１９】
吸収性コア１５０は、おむつ長手方向Ｘにおいて尻尾挿通開口１４０の一方側（図１及び図２において尻尾挿通開口１４０の上側）に形成され、腹側胴周り域１１０と股下域１３０との所定領域に配置される。吸収性コア１５０は、例えば、パルプなどの吸液性繊維と高吸収性ポリマーとの混合物や、発泡性の吸液性合成樹脂などにより形成される。
【００２０】
止着部１６０は、腹側胴周り域１１０の腹側フラップ部１１１に設けられる。止着部１６０は、多数のフックを備える。
止着領域１７０は、背側胴周り域１２０の外側表面１００Ｂに設けられる。止着領域１７０は、止着部１６０に着脱可能に止着される。
【００２１】
一方、吸収性シート１８０は、吸収性を有するシートである。ここでいう吸収性を有するシートとは、ペットＡから排泄された軟便を吸収できるような吸収性を有するシートを意味する。本実施形態では、吸収性シート１８０は、吸収性コアと同様、パルプなどの吸液性繊維と高吸収性ポリマーとの混合物や、発泡性の吸液性合成樹脂などにより形成される。この吸収性シート１８０は、クッション性を有する。つまり、吸収性シート１８０は、所定の厚みを有する。また、本実施形態では、吸収性シート１８０は、長手方向を有する形状である。
【００２２】
吸収性シート１８０は、尻尾挿通開口１４０の縁部のうち吸収性コア１５０が形成された一方側の縁部（本実施形態では折り返し部１４２を含む縁部。図１及び図２において上側の縁部。）の近傍に設けられ、装着状態においてペットＡと反対側に突出するように設けられる。
【００２３】
具体的には、吸収性シート１８０は、尻尾挿通開口１４０を通過するように設けられ、尻尾挿通開口１４０の上記一方側の縁部１４２に寄せて設けられる。そして、吸収性シート１８０の一部が、ペットＡと反対側に突出するように設けられる。
【００２４】
より詳細には、吸収性シート１８０は、尻尾挿通開口１４０を通過した状態で尻尾挿通開口１４０の上記一方側（図１及び図２の上側）に折り返し部１８１で折り返される。そして、吸収性シート１８０の長手方向の一方側が、内側表面１００Ａにおける上記一方側の領域に、長手方向の他方側が、外側表面１００Ｂにおける上記一方側の領域に固定される。固定の方法は特に限定されないが、本実施形態では両面テープを用いた接着により吸収性シート１８０は固定される。特に本実施形態では、吸収性シート１８０は、おむつ本体部１００に着脱可能に設けられる。
【００２５】
なお、吸収性シート１８０における折り返し部１８１と尻尾挿通開口１４０の折り返し部１４２との間の部分（吸収性シート１８０が股下域１３０を介さず２重に重なっている部分）１８２は、折り返し部１４２を軸に開閉移動可能である。以下では、該部分１８２を開閉部分１８２ともいう。なお、図１及び図２では、開閉部分１８２が上側に折り返された状態が示されている。
【００２６】
ペット用使い捨ておむつ１がペットＡに装着され、尻尾が尻尾挿通開口１４０に挿通されると、図３に示すように、吸収性シート１８０の一部（開閉部分１８２）がペットＡと反対側に突出し、尻尾の下方に配置される。具体的には、開閉部分１８２が、尻尾の付け根付近の下面に当接して配置される。
【００２７】
［２．効果］
以上詳述した実施形態によれば、以下の効果が得られる。
（１）本実施形態では、装着状態において、尻尾挿通開口１４０から露出した尻尾の付け根付近の部分が、吸収性シート１８０で下方から覆われる。よって、軟便が尻尾挿通開口１４０から出た場合も、吸収性シート１８０で吸収できる。したがって、ペット用使い捨ておむつ１から排泄物が漏れ出ることを抑制できる。
【００２８】
（２）本実施形態では、吸収性シート１８０が、おむつ本体部１００に着脱可能に設けられる。したがって、ペットＡが排泄した際におむつ本体部１００は汚れず吸収性シート１８０だけが汚れた場合など、吸収性シート１８０だけを交換し、おむつ本体部１００はそのまま使用することができる。
【００２９】
（３）本実施形態では、吸収性シート１８０は、クッション性を有する。つまり、吸収性シート１８０がある程度の厚みを有する。よって、装着状態において、尻尾挿通開口１４０から露出した尻尾の付け根付近の部分と吸収性シート１８０との密着性が向上し、尻尾挿通開口１４０から漏れ出た排泄物を吸収性シート１８０で吸収しやすくなる。したがって、吸収性シート１８０がクッション性を有しない場合と比較して、ペット用使い捨ておむつ１から排泄物が漏れ出ることを更に抑制できる。
【００３０】
［３．他の実施形態］
以上、本開示を実施するための形態について説明したが、本開示は上述の実施形態に限定されることなく、種々変形して実施することができる。
【００３１】
（１）上記実施形態では、吸収性シート１８０は、尻尾挿通開口１４０を通過するように設けられるが、吸収性シートの設け方はこれに限られない。例えば、吸収性シートは、外側表面１００Ｂにおける尻尾挿通開口１４０の縁部のうち吸収性コア１５０が形成された一方側の縁部の近傍（例えば図２において尻尾挿通開口１４０の少し上の領域）に設けられ、装着状態において突出するように設けられてもよい。このような構成でも、ペット用使い捨ておむつ１から排泄物が漏れ出ることを抑制できる。
なお、ここでいう「一方側の縁部の近傍」とは、装着状態において尻尾挿通開口１４０から排泄物が出た場合に該排泄物を吸収性シート１８０で捕獲できる範囲を意味する。
【００３２】
（２）上記実施形態において、吸収性シートは、尻尾挿通開口１４０の縁部のうちおむつ長手交差方向Ｙの両縁部又はその近傍に設けられ、吸収性シートの突出方向Ｚ（図３参照）に直交する断面においてＵ字状になるように形成されていてもよい。この場合において吸収性シートは、突出方向Ｚに直交する断面において半円弧状に形成されていてもよい。
【００３３】
ペットＡが横になった状態で排泄した場合などには、尻尾挿通開口１４０のおむつ長手交差方向Ｙの縁部側から軟便が漏れ出ることがある。このような場合でも、上記構成であれば、ペット用使い捨ておむつから排泄物が漏れ出ることを抑制できる。また、吸収性シートが、尻尾挿通開口１４０の全周に亘って形成されている場合と比較して、吸収性シートの量を減らすことができるため、ペット用使い捨ておむつの製造コストを抑制できる。
【００３４】
（３）吸収性シートは、尻尾挿通開口１４０の全周に亘って形成されていてもよい。
（４）上記実施形態において、吸収性シートは、おむつ本体部１００と着脱可能に設けられていなくてもよい。例えば、吸収性シートは、おむつ本体部と一体化して形成されていてもよい。この場合において例えば、吸収性コア１５０の一部を尻尾挿通開口１４０からペットＡと反対側に露出させることで、該吸収性コア１５０の一部を吸収性シートとして機能させてもよい。
【００３５】
（５）吸収性シートの素材は上記実施形態のものに限られず、軟便を吸収できる吸収性を有するシートであればよい。特に、吸収性シートは、クッション性を有していなくてもよい。
【００３６】
（６）上記実施形態では、吸収性シート１８０は、折り返し部１８１で折り返されているが、吸収性シートは、折り返されることなく設けられてもよい。
（７）上記実施形態では、止着領域１７０が止着部１６０に止着される、いわゆるオープン型のペット用使い捨ておむつ１を例示したが、ペット用使い捨ておむつはこれに限られない。例えば、ペット用使い捨ておむつは、背側胴周り領域におけるおむつ長手交差方向上の一対の端部と、腹側胴周り領域におけるおむつ長手交差方向上の一対の端部とを接合する接合部を有する、いわゆるパンツ型のペット用使い捨ておむつであってもよい。
【００３７】
（８）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００３８】
１…ペット用使い捨ておむつ、１００…おむつ本体部、１１０…腹側胴周り域、
１１１…腹側フラップ部、１２０…背側胴周り域、１３０…股下域、
１４０…尻尾挿通開口、１５０…吸収性コア、１８０…吸収性シート。
【図１】
0003213659.tif 000003
【図２】
0003213659.tif 000004
【図３】
0003213659.tif 000005